(57)【要約】【課題】構造の大型化を招かずに、コストを抑えながら、部品が分離することを防止できる接続ポート装置を提供すること。【解決手段】接続ポート装置１０は、カバーパネル１１と、外部機器が接続されるコネクタ１２を保持する保持ハウジング２０と、保持ハウジング２０に組み付けられるとともに、カバーパネル１１の表側に露出する外装ハウジング３０と、を備える。カバーパネル１１には、保持ハウジング２０の外周を囲む開口１１０が形成される。保持ハウジング２０および外装ハウジング３０の一方に形成されたロック梁３２が、他方に形成されたロック突起２２に係止されることで、保持ハウジング２０と外装ハウジング３０とがロックされる。カバーパネル１１の開口１１０の内周部１１０Ａには、開口１１０を狭める向きに突出するように、ロック梁３２に対応する位置に形成されるパネル突起１１１が形成される。【選択図】図５
2015076205.tif 000002
【特許請求の範囲】
【請求項１】
外部機器が接続されるコネクタが設けられる接続ポート装置であって、
前記コネクタを保持する保持ハウジングと、
前記保持ハウジングが通される開口を有するカバーパネルと、
前記保持ハウジングに組み付けられるとともに、前記カバーパネルの表側に一部が露出する外装ハウジングと、を備え、
前記保持ハウジングおよび前記外装ハウジングの一方に形成されたロック梁が、他方に形成されたロック部に係止されることで、前記保持ハウジングと前記外装ハウジングとがロックされ、
前記カバーパネルの前記開口の内周部から前記ロック梁に向けて突出するパネル突起、および前記ロック梁から前記開口の内周部に向けて突出する梁突起の少なくとも一方が形成される、
ことを特徴とする接続ポート装置。
【請求項２】
前記パネル突起の先端は、前記ロック梁の基端側に突き当てられる、
請求項１に記載の接続ポート装置。
【請求項３】
前記カバーパネルの厚み方向における前記パネル突起の寸法は、前記カバーパネルの他の部位の厚みよりも大きい、
請求項１または２に記載の接続ポート装置。
【請求項４】
前記外装ハウジングは、前記カバーパネルの表側から前記開口の外側に重ねられる露出部を有し、
前記露出部と、前記保持ハウジングの外周に形成されたパネルロック部との間に前記カバーパネルが挟み込まれて係止されることで、前記カバーパネル、前記保持ハウジング、および前記外装ハウジングが一体化される、
請求項１から３のいずれか一項に記載の接続ポート装置。
【発明の詳細な説明】
【技術分野】
【０００１】
本発明は、外部機器が接続される接続ポート装置に関する。
【背景技術】
【０００２】
音楽プレーヤー、ＤＶＤ（Digital Versatile Disk）プレーヤー、ディジタルカメラ、スマートフォン、ＰＤＡ（Personal Digital Assistants）、ゲーム機器などの携帯機器の利用拡大により、携帯機器を自動車内でも利用したいニーズが高まっている。それに応えるため、車内のコンソールに、携帯機器等の外部機器を接続可能な接続ポート装置（車載接続装置）が設けられる（特許文献１）。接続ポート装置に携帯機器を接続すると、携帯機器がカーナビゲーションシステムなどの車載システムに接続される。そして、車載システムが備えるモニタやスピーカーを介して携帯機器の機能を利用可能となる。
【先行技術文献】
【特許文献】
【０００３】
【特許文献１】特開２０１１−２９９０６号公報
【発明の概要】
【発明が解決しようとする課題】
【０００４】
接続ポート装置は、例えば図１１（ａ）に示すように、携帯機器に接続されるコネクタ６１を保持する保持ハウジング６２と、カバーパネル６３（図１１（ｂ））と、保持ハウジング６２に組み付けられてカバーパネル６３の表側に露出する外装ハウジング６４とを備える。
図１１（ａ）に示すように、外装ハウジング６４のロック梁６４１が保持ハウジング６２のロック突起６２１にロックされることで、保持ハウジング６２と外装ハウジング６４とが外れないように組み付けられる。
さらに、図１１（ｂ）に示すように、保持ハウジング６２および外装ハウジング６４の組付体をカバーパネル６３の開口６３０にパネルの表側から挿入し、カバーパネル６３に装着すると、組み立てが完了する。
そして、外装ハウジング６４のポート孔６４０から外部に露出するコネクタ６１の嵌合部６１０に、携帯機器の端子を直接、あるいはケーブルを介して接続する。
【０００５】
上述のように、保持ハウジング６２と外装ハウジング６４とは別体とされる。これら保持ハウジング６２と外装ハウジング６４とはロック梁６４１がロック突起６２１に係止されることで一体化されるものの、コネクタ６１に携帯機器を抜き差しする際などに過大な荷重が加わると、ロック梁６４１がロック突起６２１から外れることで分離してしまう。
保持ハウジング６２と外装ハウジング６４との分離を避けるため、ロック梁６４１がロック突起６２１から外れないようにロック梁６４１を厚くしたり、ロック突起６２１を高くすると構造が大型化する。
また、保持ハウジング６２と外装ハウジング６４とをネジ止めにより固定すると、部品点数および作業工程が増えるのでコストが上昇する。
【０００６】
本発明は、上記の課題に基づいて、構造の大型化を招かずに、コストを抑えながら、部品が分離することを防止できる接続ポート装置を提供することを目的とする。
【課題を解決するための手段】
【０００７】
本発明は、外部機器が接続されるコネクタが設けられる接続ポート装置であって、コネクタを保持する保持ハウジングと、保持ハウジングが通される開口を有するカバーパネルと、保持ハウジングに組み付けられるとともに、カバーパネルの表側に一部が露出する外装ハウジングと、を備える。
保持ハウジングおよび外装ハウジングの一方に形成されたロック梁が、他方に形成されたロック部に係止されることで、保持ハウジングと外装ハウジングとがロックされる。
そして、本発明は、カバーパネルの開口の内周部からロック梁に向けて突出するパネル突起、およびロック梁から開口の内周部に向けて突出する梁突起の少なくとも一方が形成されることを特徴とする。
【０００８】
本発明によれば、パネル突起および梁突起の一方、あるいは双方により、ロック梁が撓んでロック部から離脱するのが規制される。そのため、保持ハウジングと外装ハウジングとを分離させる向きの力が作用したとしても、ロック梁がロック部から離脱せず、ロック梁およびロック部によって保持ハウジングと外装ハウジングとがロックした状態に保たれる。
ここで、パネル突起は、パネル突起が形成されていなければカバーパネルの開口の内周部とロック梁との間に形成されていた隙間の範囲内に位置する。梁突起も同様である。したがって、これらの突起を形成することによって接続ポート装置の大型化を招くことはない。
仮に、ロック梁がロック部から外れないようにロック梁を厚くすると、ロック梁の剛性向上により、ロック梁を撓めて保持ハウジングと外装ハウジングを組み付けるのに大きな力が必要となるため、組立性が低下するところ、本発明によれば組立性が低下しない。
また、カバーパネルに一体に形成可能なパネル突起、外装ハウジングに一体に形成可能な梁突起により、保持ハウジングおよびカバーパネルの分離を防止できるので、両者を固定するネジなどを用いる場合とは異なり、部品点数および作業工程が増加することなく、コストを抑えることができる。
したがって、本発明によれば、構造が大型化することなく、コストを抑えながら、保持ハウジングおよび外装ハウジングを互いに組み付られた状態に確実に保持することができる。
【０００９】
本発明の接続ポート装置では、パネル突起の先端が、ロック梁の基端側に突き当てられることが好ましい。
そうすると、パネル突起の先端がロック梁の基端側を支持するために、ロック梁の支持端がパネル突起の分、先端側へと移動する。これによってロック梁の有効長がロック梁の実際の長さよりも短くなり、ロック梁の剛性が高められるのでロック梁が撓み難くなる。このため、ロック部からのロック梁の離脱をより十分に防止することができる。
【００１０】
本発明の接続ポート装置では、カバーパネルの厚み方向におけるパネル突起の寸法が、カバーパネルの他の部位の厚みよりも大きいことが好ましい。
そうすると、パネル突起によりロック梁の撓みが規制される範囲がロック梁の長さ方向に拡大されるので、ロック梁がロック部から離脱するのをより十分に防止することができる。
【００１１】
本発明の接続ポート装置では、外装ハウジングが、カバーパネルの表側からカバーパネルの開口の外側に重ねられる露出部を有し、露出部と、保持ハウジングの外周に形成されたパネルロック部との間にカバーパネルが挟み込まれて係止されることで、カバーパネル、保持ハウジング、および外装ハウジングが一体化されることが好ましい。
上記構成によれば、露出部と保持ハウジングのパネルロック部との間にカバーパネルを挟み込むことで、保持ハウジングおよび外装ハウジングをカバーパネルに安定して装着することができる一方、保持ハウジングと外装ハウジングとが分離するとカバーパネルまでもが分離してしまう。
しかし、パネルロック部によりロック部からのロック梁の離脱が防止されるために、保持ハウジングおよび外装ハウジングは分離されず、カバーパネルが保持ハウジングおよび外装ハウジングの間に保持される。
つまり、保持ハウジングおよび外装ハウジングをカバーパネルに安定して装着できるとともに、保持ハウジング、外装ハウジング，およびカバーパネルの三者を一体化された状態に保つことができる。
【発明の効果】
【００１２】
本発明によれば、構造の大型化を招かずに、コストを抑えながら、部品が分離することを防止できる接続ポート装置を提供することができる。
【図面の簡単な説明】
【００１３】
【図１】第１実施形態に係る接続ポート装置を後方から示す斜視図である。
【図２】（ａ）は接続ポート装置の上面図であり、（ｂ）は接続ポート装置の前面図である。
【図３】図２（ａ）のIII−III線断面図である。
【図４】接続ポート装置を組み立てる手順を示す図である。
【図５】（ａ）はロック梁、ロック突起、およびカバーパネルの断面模式図である。（ｂ）もロック梁、ロック突起、およびカバーパネルの断面模式図である（隙間あり）。
【図６】第２実施形態に係る接続ポート装置を後方から示す斜視図である。
【図７】（ａ）はロック梁、ロック突起、およびカバーパネルの断面模式図である。（ｂ）もロック梁、ロック突起、およびカバーパネルの断面模式図である（隙間あり）。
【図８】第２実施形態のカバーパネルに置換可能なカバーパネルを裏側から示す図である。
【図９】本発明の変形例に係る接続ポート装置を示す図である。
【図１０】本発明の別の変形例に係る接続ポート装置を示す図である。
【図１１】従来の接続ポート装置を示す図である。
【発明を実施するための形態】
【００１４】
以下、添付図面を参照しながら、本発明の実施形態について説明する。
〔第１実施形態〕
図１および図２に示す第１実施形態の接続ポート装置１０は、自動車に搭載されるナビゲーションシステム、音楽・映像の視聴システムなどの車載システムが備えるインタフェース機器であり、自動車のコンソールに設けられる。
接続ポート装置１０は、４つの接続ポートＰ（図２（ｂ））を有する。接続ポート装置１０は、接続ポートＰに接続された最大で４つの外部機器を車載システムに接続することができる。
外部機器としては、例えば、音楽プレーヤー、ＤＶＤプレーヤー、ディジタルカメラ、ＰＤＡ、ゲーム機器などの携帯機器が代表的なものとして挙げられる。
接続ポートＰの数は任意であり、接続ポート装置１０が接続ポートＰを１つだけ有するものであってもよい。
【００１５】
接続ポート装置１０は、カバーパネル１１と、外部機器に接続されるコネクタ１２（図３）を内側に保持する保持ハウジング２０と、保持ハウジング２０に組み付けられて一部がカバーパネル１１の表側に露出する外装ハウジング３０とを備える。
【００１６】
カバーパネル１１は、接続ポート装置１０の内部を覆っている。このカバーパネル１１に、保持ハウジング２０および外装ハウジング３０が装着される。
カバーパネル１１は、コンソールに設けられる計器や操作スイッチの内部構造を覆うパネルと一体に形成することもできる。
カバーパネル１１は、樹脂を用いて射出成形により形成することができる。また、カバーパネル１１を金属板の打ち抜き加工により形成することもできる。
【００１７】
カバーパネル１１には、略矩形状の開口１１０が形成される（図２（ｂ））。
開口１１０の内周部１１０Ａには、保持ハウジング２０および外装ハウジング３０を組み付けた状態に保つための複数のパネル突起１１１が形成される。
パネル突起１１１は本実施形態では４つあり、いずれも内周部１１０Ａから、開口１１０を狭める向きに突出する。より詳しくは、各パネル突起１１１は、開口１１０の一対の長辺の一方から他方に向けて突出する。パネル突起１１１の各々の位置は、後述する外装ハウジング３０のロック梁３２の位置に対応する。
【００１８】
パネル突起１１１の他、開口１１０の内周部１１０Ａには、保持ハウジング２０および外装ハウジング３０の組付体をカバーパネル１１に装着するときの向きの誤りを防止するための突起１１２も形成される。突起１１２は、開口１１０の一対の長辺の各々に１つずつ配置される。
本実施形態では、パネル突起１１１および突起１１２を含めてカバーパネル１１全体が一定の厚みに形成される。
【００１９】
コネクタ１２（図３）は、外部機器の端子と、車載システムの端子とに接続されることで、両者の接続を仲介する。コネクタ１２の具体的構造の図示は省略する。
コネクタ１２に、外部機器と車載システムとの間で送受信される信号を変換したり電位を合わせるための回路基板を設けることもできる。その場合、コネクタ１２は、外部機器の端子および回路基板を接続する接続部と、車載システムの端子および回路基板を接続する接続部とを有する。
【００２０】
保持ハウジング２０は、図１に示すように、コネクタ１２をそれぞれ受け入れる４つの受容部２１を備える。
４つの受容部２１は、一列に並び、一体に形成される。
各受容部２１は、断面矩形の筒状に形成される。
受容部２１の内側には、コネクタ１２をガイドするガイド溝２１Ａや、受け入れたコネクタ１２を係止する係止部２１Ｂが形成される。
【００２１】
保持ハウジング２０は、樹脂を用いて射出成形により形成することができる。外装ハウジング３０も同様である。
保持ハウジング２０は、カバーパネル１１の開口１１０の内側に通される。
【００２２】
保持ハウジング２０の外周には、外装ハウジング３０と保持ハウジング２０とをロックするための複数のロック突起２２が突設される。
本実施形態では、ロック突起２２は、保持ハウジング２０の上側の左右両端、および下側の左右両端に、合計で４箇所形成される。
ロック突起２２は、前後方向に延びる一対のリブから形成される。
ロック突起２２の前側には、図３に示すように、保持ハウジング２０の外周面２０Ａに対して傾斜した斜面２２Ａが形成される。
ロック突起２２の後側には、斜面２２Ａに連続する天面から外周面２０Ａに向けて下る角部２２Ｂが形成される。
【００２３】
また、保持ハウジング２０の左端、右端には、図１および図２（ａ）に示すように、カバーパネル１１と保持ハウジング２０とをロックするためのパネルロック梁２４が形成される。
【００２４】
次に、外装ハウジング３０は、図２（ａ）および（ｂ）に示すように、矩形状のプレート３１と、プレート３１の裏面に形成された４つのロック梁３２とを一体に備える。外装ハウジング３０と上記の保持ハウジング２０は、同じ樹脂から形成することも、異なる樹脂から形成することもできる。
プレート３１は、カバーパネル１１の開口１１０（図２（ｂ））のサイズよりも大きい。プレート３１の裏面の外周部は、カバーパネル１１の開口１１０の外側に重ねられる。
【００２５】
プレート３１には、４つのポート孔３１０が厚み方向に貫通して形成される。各ポート孔３１０を介して、保持ハウジング２０の受容部２１に保持されたコネクタ１２の嵌合口が外部に露出する（図３）。図２（ｂ）に斜線で示すコネクタ１２の嵌合口が接続ポートＰとして機能する。
プレート３１の表面には、各接続ポートＰに接続可能な外部機器を示す表示が付される。
【００２６】
ロック梁３２は、図２（ａ）および図３に示すように、保持ハウジング２０のロック突起２２の各々に係止される。このことによって外装ハウジング３０と保持ハウジング２０とが分離しないようにロックされる。
ロック梁３２は、プレート３１の裏面の外周縁から少し内側の位置で垂直に立ち上がっており、薄い板状に形成される。
ロック梁３２の基端（支持端）から先端（自由端）の手前までの範囲に亘り、矩形状の開口３２Ａ（図２（ａ））が形成される。
【００２７】
次に、接続ポート装置１０を組み立てる手順の例を説明する。
まず、図４（ａ）に示すように、外装ハウジング３０のプレート３１の裏側に保持ハウジング２０を配置し、外装ハウジング３０のロック梁３２の先端がロック突起２２の斜面２２Ａ（図３）に支持された状態とする。
そして、斜面２２Ａによりロック梁３２をガイドしながら、４つのロック梁３２の内側に保持ハウジング２０を受け入れるように外装ハウジング３０と保持ハウジング２０とを近づけていく。
すると、ロック梁３２が撓み、図３に示すようにロック梁３２の先端３２Ｂがロック突起２２を乗り越えてロック突起２２の角部２２Ｂに係止される。ロック突起２２はロック梁３２の開口３２Ａの内側に挿入される。また、プレート３１の裏面に保持ハウジング２０の前端面２０Ｂが突き当てられる。
以上により、保持ハウジング２０と外装ハウジング３０とが組み付けられる。
【００２８】
次に、保持ハウジング２０および外装ハウジング３０の組付体２３を、カバーパネル１１に装着する。
図４（ｂ）に示すように、カバーパネル１１の表側に配置した組付体２３を開口１１０に挿入する。このとき、組付体２３の上下の向きを誤ると、突起１１２（図１）が保持ハウジング２０の外周部に干渉するので、組付体２３の上下の向きが誤っていることがわかる。その場合は、組付体２３を正しい向きに直してから開口１１０に挿入する。
組付体２３を開口１１０に挿入するとき、開口１１０の内周部１１０Ａに形成された４つのパネル突起１１１の内側を保持ハウジング２０の外周およびロック梁３２が通り抜ける。そして、カバーパネル１１の表面にプレート３１の裏面が突き当てられるまで組付体２３を開口１１０に挿入すると、プレート３１の裏面と、保持ハウジング２０のパネルロック梁２４との間にカバーパネル１１が挟み込まれて係止される。これによってカバーパネル１１に、保持ハウジング２０および外装ハウジング３０の組付体２３が装着される。
その後、保持ハウジング２０の各受容部２１の内側に、車載システムに結線されたコネクタ１２を挿入し、係止部２１Ｂにより係止すると、接続ポート装置１０が完成する（図３）。
【００２９】
接続ポート装置１０を組み立てる手順は、上記に限られない。
保持ハウジング２０にコネクタ１２を組み付けておき、カバーパネル１１に保持ハウジング２０および外装ハウジング３０の組付体２３を装着した後に、コネクタ１２を車載システムに接続することもできる。
【００３０】
さて、図５（ａ）を参照し、ロック梁３２、ロック突起２２、およびカバーパネル１１による作用効果について説明する。
図５（ａ）に示す破線は、開口１１０の内周部１１０Ａである。内周部１１０Ａから突出するパネル突起１１１の先端が、ロック梁３２の基端側に突き当てられるため、ロック梁３２が撓むこと（二点鎖線参照）が規制される。
そのため、コネクタ１２から外部機器を引き抜く際などに、保持ハウジング２０から外装ハウジング３０を引き抜く向きの力Ｆが作用したとしても、ロック梁３２がロック突起２２から離脱することが防止される。
また、パネル突起１１１がロック梁３２の基端側を支持するために、ロック梁３２の支持端がパネル突起１１１の分、先端側へと移動する。これによってロック梁３２の有効長がロック梁３２の実際の長さよりも短くなり、ロック梁３２が撓み難くなることも、ロック突起２２からのロック梁３２の離脱防止に寄与する。
【００３１】
上述のように、ロック突起２２からロック梁３２が離脱することが防止されることで、保持ハウジング２０と外装ハウジング３０とを分離させようとする外力に対して保持ハウジング２０と外装ハウジング３０とがロックした状態に保たれる。
ここで、図５（ｂ）に示すように、パネル突起１１１の先端とロック梁３２との間に若干の隙間Ｓ１があいていてもよい。この場合でも、内周部１１０Ａからパネル突起１１１が突出していることで、ロック梁３２が撓むことが規制されるので、ロック梁３２がロック突起２２から離脱せず、保持ハウジング２０と外装ハウジング３０とがロックした状態に保たれる。隙間Ｓ１は、最大に撓んだときのロック梁３２の変位量を超えない寸法である限りにおいて許容される。
【００３２】
保持ハウジング２０と外装ハウジング３０とがロックした状態に保たれることで、カバーパネル１１も、外装ハウジング３０のプレート３１と保持ハウジング２０のパネルロック梁２４との間に挟まれて係止された状態に保たれる。
【００３３】
本実施形態において保持ハウジング２０と外装ハウジング３０との保持に用いるパネル突起１１１は、パネル突起１１１が形成されていなければ内周部１１０Ａとロック梁３２との間に形成されていた隙間Ｓ２（図５（ａ））の範囲内に位置する。このため、パネル突起１１１を形成することによって接続ポート装置１０が大型化することはない。
また、パネル突起１１１が一体に形成されたカバーパネル１１を用いることで、保持ハウジング２０および外装ハウジング３０の分離を防止できるので、両者の分離を防止するためにネジなどを用いる場合とは異なり、部品点数および作業工程が増加することなく、コストを抑えることができる。
したがって、本実施形態によれば、構造が大型化することなく、コストを抑えながら、保持ハウジング２０および外装ハウジング３０を互いに組み付られた状態に確実に保持することができる。
【００３４】
ところで、本実施形態では、プレート３１とパネルロック梁２４との間にカバーパネル１１を挟み込むことで、保持ハウジング２０および外装ハウジング３０をカバーパネル１１に安定して装着することができる一方、保持ハウジング２０と外装ハウジング３０とが分離するとカバーパネル１１までもが分離してしまう。
しかし、パネル突起１１１によりロック突起２２からのロック梁３２の離脱が防止されるために、保持ハウジング２０および外装ハウジング３０は分離されず、カバーパネル１１が保持ハウジング２０および外装ハウジング３０の間に保持される。
つまり、本実施形態によれば、保持ハウジング２０および外装ハウジング３０をカバーパネル１１に安定して装着できるとともに、保持ハウジング２０、外装ハウジング３０、およびカバーパネル１１の三者を一体化された状態に保つことができる。
【００３５】
本実施形態では、４つのロック梁３２の各々に対応するパネル突起１１１が形成されるが、本発明は、複数のロック梁３２の全てではなく一部のロック梁３２のみにパネル突起１１１が対向し、パネル突起１１１によりロック梁３２の撓みが規制される場合も許容する。その場合も、保持ハウジング２０および外装ハウジング３０の分離を防止することができる。
【００３６】
〔第２実施形態〕
次に、本発明の第２実施形態について説明する。
図６に示す第２実施形態の接続ポート装置４０は、カバーパネル１１のパネル突起の形態のみが第１実施形態の接続ポート装置１０と相違する。
以下では、第１実施形態との相違点について説明する。第１実施形態と同様の構成には同じ符号を付している。
【００３７】
カバーパネル１１は、開口１１０の内周部１１０Ａに形成された４つの直方体状のブロック１５を備える。
ブロック１５は、カバーパネル１１の裏面１１Ａ側に張り出し、カバーパネル１１のその他の部位よりも厚肉に形成される。
ブロック１５の各々は、開口１１０の内周部１１０Ａから開口１１０を狭める向きに突出するパネル突起１５１を有する。
【００３８】
パネル突起１５１がカバーパネル１１の他の部位の厚みよりも厚いと、図７（ａ）に示すように、パネル突起１５１の先端がロック梁３２に接触する範囲がロック梁３２の長さ方向に拡大される。
それによってロック梁３２の支持端が第１実施形態よりもさらに先端側へと移動し、ロック梁３２の有効長がさらに短くなる。したがって、ロック梁３２がロック突起２２から離脱するのをより十分に防止することができる。
【００３９】
ここで、図７（ｂ）に示すように、パネル突起１５１の先端とロック梁３２との間には隙間Ｓ１が許容される。隙間Ｓ１があっても、ロック梁３２が撓むとパネル突起１５１に干渉することで、ロック梁３２がロック突起２２から離脱するのをより十分に規制することができる。
【００４０】
本実施形態のブロック１５は、開口１１０の内側と、開口１１０の外側とに跨って設けられるので、開口１１０の内側を占めるパネル突起１５１が開口１１０の外側の部分によって補強される。このため、パネル突起１５１がロック梁３２の撓みを規制する力をより十分に確保することができる。
【００４１】
〔第２実施形態の変形例〕
図８は、第２実施形態の変形例を示す。
カバーパネル１１の内周部１１０Ａに沿って、環状の厚肉部１６が形成される。
この厚肉部１６は、第２実施形態では内周部１１０Ａに局所的に形成されていたブロック１５と、それらのブロック１５を相互に繋ぐ部分１６１とを一体に備える。
ブロック１５のパネル突起１５１により、第２実施形態で述べたのと同様の効果が得られるほか、環状の厚肉部１６によって開口１１０の内周部１１０Ａの強度を向上させることがきる。
【００４２】
上記以外にも、本発明の主旨を逸脱しない限り、上記実施形態で挙げた構成を取捨選択したり、他の構成に適宜変更することが可能である。
保持ハウジング２０および外装ハウジング３０の少なくともいずれかに、カバーパネル１１に係合する突起等を形成すれば、上記のように保持ハウジング２０にパネルロック梁２４を形成し、プレート３１とパネルロック梁２４との間にカバーパネル１１を挟み込んで係止する必要はない。
つまり、本発明では、開口１１０の内周部１１０Ａに、ロック梁３２に向けて突出するパネル突起を形成することができる位置に、カバーパネル１１が設置されていれば足り、カバーパネル１１が保持ハウジング２０および外装ハウジング３０の一方または両方に係止されている必要はない。
【００４３】
本発明におけるパネル突起は、上記の各実施形態における形態に限らず、種々の形態に改変することができる。
例えば、カバーパネル１１の厚み方向のパネル突起１１１，１５１の寸法をロック突起２２の位置にまで延長することにより、ロック突起２２からのロック梁３２の離脱をより確実に防止することができる。
また、パネル突起１１１の数、パネル突起１１５の数は問わない。隣り合うロック梁３２の離脱防止を一つのパネル突起により担うこともできる。
パネル突起が形成されるカバーパネルは、平板に限らず、湾曲していたり、凹凸を有する形態とすることができる。
【００４４】
また、ロック梁およびロック部も、種々の形態に改変することができる。
ロック梁３２の開口３２Ａは形成されていなくてもよい。その場合、ロック突起２２に係止される係止部をロック梁３２に形成することができる。
【００４５】
ロック梁およびロック部は、保持ハウジング２０および外装ハウジング３０の周方向のいずれの箇所にも設けることができる。そして、ロック梁に向けて突出するパネル突起をカバーパネル１１に形成すればよい。
【００４６】
さらに、上記の各実施形態とは逆に、保持ハウジングがロック梁を備え、外装ハウジングがロック部を備えるように構成することもできる。
具体的には、例えば図９に示すように、保持ハウジング２０にロック梁２５を設けるとともに、ロック梁２５を受けるための突片３４を外装ハウジング３０に設け、突片３４にロック突起３５を形成する。
そうすると、ロック突起３５が位置するロック梁２５の先端側の撓みをカバーパネル１１のパネル突起１１１により規制することができるので、ロック梁２５がロック突起３５から離脱するのを十分に防ぐことができる。
なお、パネル突起１１１の先端とロック梁２５との間には隙間が許容される。
【００４７】
ところで、上述のようにカバーパネル１１に形成されたパネル突起に代えて、ロック梁に形成された梁突起により、ロック梁が撓んでロック突起から離脱するのを防止することもできる。
図１０（ａ）に示すように、ロック梁３２には、カバーパネル１１の開口１１０の内周部１１０Ａに向けて突出する梁突起３２Ｃが形成される。
この梁突起３２Ｃにより、ロック梁３２が撓んでロック突起２２から離脱するのが規制されるので、パネル突起１１１（図５（ａ））が形成される第１実施形態と同様の作用効果が得られる。
なお、梁突起３２Ｃの先端とカバーパネル１１の内周部１１０Ａとの間には隙間が許容される。
【００４８】
図１０（ｂ）は、パネル突起１１１と梁突起３２Ｃとの両方が形成される例を示す。これらのパネル突起１１１および梁突起３２Ｃにより、ロック梁３２が撓んでロック突起２２から離脱するのが規制されるので、第１実施形態と同様の作用効果が得られる。
なお、梁突起３２Ｃの先端とパネル突起１１１の先端との間には隙間が許容される。
【符号の説明】
【００４９】
１０，４０  接続ポート装置
１１    カバーパネル
１１Ａ  裏面
１２    コネクタ
１５    ブロック
１６    厚肉部
２０    保持ハウジング
２０Ａ  外周面
２０Ｂ  前端面
２１    受容部
２１Ａ  ガイド溝
２１Ｂ  係止部
２２    ロック突起（ロック部）
２２Ａ  斜面
２２Ｂ  角部
２３    組付体
２４    パネルロック梁（パネルロック部）
２５    ロック梁
３０    外装ハウジング
３１    プレート（露出部）
３２    ロック梁
３２Ａ  開口
３２Ｂ  先端
３２Ｃ  梁突起
３４    突片
３５    ロック突起（ロック部）
６１    コネクタ
６２    保持ハウジング
６３    カバーパネル
６４    外装ハウジング
１１０  開口
１１０Ａ  内周部
１１１，１５１  パネル突起
１１２  突起
３１０  ポート孔
６１０  嵌合部
６２１  ロック突起
６３０  開口
６４０  ポート孔
６４１  ロック梁
Ｆ      力
Ｐ      接続ポート
Ｓ１，Ｓ２  隙間
【図１】
2015076205.tif 000003
【図２】
2015076205.tif 000004
【図３】
2015076205.tif 000005
【図４】
2015076205.tif 000006
【図５】
2015076205.tif 000007
【図６】
2015076205.tif 000008
【図７】
2015076205.tif 000009
【図８】
2015076205.tif 000010
【図９】
2015076205.tif 000011
【図１０】
2015076205.tif 000012
【図１１】
2015076205.tif 000013